(57)【要約】【課題】化粧等を行う際に、顔に良好に風を当てて顔のほてりを冷やすことのできるミラーキャビネットを提供する。【解決手段】主鏡７と、主鏡７に隣接する隣接鏡８，９を備えたミラーキャビネット５において、主鏡７と隣接鏡８，９との間に、主鏡７の前に立って化粧を行う使用者に向かって風を吹き出すことのできる吹出口１０，１０，１０を設けて構成する。【選択図】図１
2008036081.tif 000002
【特許請求の範囲】
【請求項１】
主鏡と該主鏡に隣接する隣接鏡を備えたミラーキャビネットにおいて、
前記主鏡と前記隣接鏡との間に、前記主鏡の前の使用者に向かって風を吹き出すことのできる吹出口を設けたことを特徴とするミラーキャビネット。
【請求項２】
一側縁側を軸として他側縁側が水平面内で回動可能な移動鏡を備えたミラーキャビネットにおいて、
前記移動鏡の他側縁側に風を吹き出す吹出口を設けたことを特徴とするミラーキャビネット。
【発明の詳細な説明】
【技術分野】
【０００１】
本発明は、顔に風を当てて化粧等を良好に行えるミラーキャビネットに関するものである。
【背景技術】
【０００２】
従来、特許文献１に開示されているように、冷却装置から排出される熱を鏡に伝達することにより、鏡の曇り防止を図ることができ、また、化粧台前面にマイナスイオンを送出させることにより美容促進を図ることのできる化粧台が存在する。
また、特許文献２に開示されているように、鏡の左右に設けた吹出口から鏡の中央に向かって乾燥空気を吹き出して、鏡の曇りを短時間で取り除くことのできる洗面ユニットが存在する。
【特許文献１】特開２００４−１８１１９２号公報
【特許文献２】特開平６−１２１７５０号公報
【発明の開示】
【発明が解決しようとする課題】
【０００３】
特許文献１に開示されている構造では、鏡の下と上に吹出口を設けているが、顔に遠い位置からの吹き出しであるため、化粧等を行う際に良好に顔に風を当てることができないという問題点があった。
また、上記特許文献２の構造では、風を顔に向けるのではなく鏡に向けて、鏡を曇り止めするものであり、良好に化粧等を行えるものではなかった。
【課題を解決するための手段】
【０００４】
本発明は上記従来の問題点に鑑み案出したものであって、顔に風を当てて肌のほてりを取りながら良好に化粧等が行えるミラーキャビネットを提供するものであり、その請求項１は、主鏡と該主鏡に隣接する隣接鏡を備えたミラーキャビネットにおいて、前記主鏡と前記隣接鏡との間に、前記主鏡の前の使用者に向かって風を吹き出すことのできる吹出口を設けたことである。
【０００５】
また請求項２は、一側縁側を軸として他側縁側が水平面内で回動可能な移動鏡を備えたミラーキャビネットにおいて、前記移動鏡の他側縁側に風を吹き出す吹出口を設けたことである。
【発明の効果】
【０００６】
本発明のミラーキャビネットは、主鏡と該主鏡に隣接する隣接鏡を備えたミラーキャビネットにおいて、主鏡と隣接鏡との間に、主鏡の前の使用者に向かって風を吹き出すことのできる吹出口を設けたことにより、吹出口は主鏡と隣接鏡との間の邪魔にならない位置に設けられており、三面鏡としてミラーキャビネットを使用しながら、吹出口からの風を顔に当てて、肌のほてりを良好に冷やし、化粧のりを良くすることができる。また、化粧水や乳液を使う時、風により乾燥を早められ化粧時間の短縮ができる。すなわち、効率的で良好な化粧を行うことができるものとなる。
【０００７】
また、一側縁側を軸として他側縁側が水平面内で回動可能な移動鏡を備えたミラーキャビネットにおいて、移動鏡の他側縁側に風を吹き出す吹出口を設けたことにより、移動鏡を回動させると一体で吹出口も回動され、顔に吹出口を近づけて、近い位置から顔に風を吹き付けて肌のほてりを取ることができ、良好に化粧等を行えるものとなる。
【実施例１】
【０００８】
以下、本発明の実施例を図面に基づいて説明する。
図１は、洗面化粧台の斜視構成図であり、洗面化粧台１は、洗面器２の上面に水栓３と、水栓３を操作するためのハンドル４が設けられており、この上方にはミラーキャビネット部５が配設されている。
ミラーキャビネット部５は、収納空間を形成する収納ボックス６の前面側中央部に主鏡７が設けられ、この主鏡７の左右側に隣接鏡８，９が配置されて、それぞれの鏡は蝶番等で構成された軸７ａ，８ａ，９ａにより水平面内で回動させて開閉できるように構成され、主鏡７に対して左右の隣接鏡８，９をそれぞれ角度をつけて開き、三面鏡として使用できるように構成されている。
【０００９】
本例では、主鏡７と隣接鏡８の間、及び、主鏡７と隣接鏡９の間に、それぞれ吹出口１０，１０が開口されており、それぞれの吹出口１０は縦方向に１個もしくは複数開口されて、主鏡７の前に立って化粧等をする使用者の顔に向かって吹出口１０から風を吹き出すことができるように構成されている。
【００１０】
図２は、ミラーキャビネット部を水平に切断した拡大概略平面構成図であり、収納ボックス６内には、備品等を収納できる収納空間Ｓ１，Ｓ２，Ｓ３が形成されている。
収納ボックス６には、例えば一体状に前方側へコの字状に仕切部６ｂ，６ｂが形成され、この仕切部６ｂ，６ｂでそれぞれの収納空間Ｓ１，Ｓ２，Ｓ３が仕切られており、主鏡７の裏側には収納空間Ｓ１が形成され、隣接鏡８の裏側には収納空間Ｓ２が形成され、隣接鏡９の裏側には収納空間Ｓ３が形成され、仕切部６ｂ内には、縦方向の風路Ｒが形成され、この風路Ｒの前面に１個もしくは複数の吹出口１０，１０，１０が開口されたものとなっている。
【００１１】
なお、風を送るファン１１を、例えば収納空間Ｓ２の底側の収納ボックス６内に設けておき、このファン１１から蛇腹管１２，１２を介してダクト１３を引き出し、ファン１１からの風を風路Ｒ，Ｒを通して、吹出口１０から吹き出すことができるものである。
なお、蛇腹管１２及びダクト１３は収納ボックス６の背板６ａの裏側に配管させたものを例示しているが、この蛇腹管１２及びダクト１３は収納ボックス６の底側に前面側から見えないように配管することもできる。
【００１２】
なお、図２では、隣接鏡８の軸８ａ及び隣接鏡９の軸９ａにそれぞれ回動可能に風向きフィン１４，１４が取り付けられており、図２のように左右の隣接鏡８，９を傾斜させて三面鏡として使用する際に、風向きフィン１４，１４により、それぞれの吹出口１０から吹き出される風を主鏡７の前に立つ使用者の顔に向けることができ、顔に左右側から良好に風を当てて、肌のほてりを冷やすことができ、化粧ののりが良くなり、また化粧水を乾かし易くなり、化粧を迅速に且つ快適に行えるものとなる。
【００１３】
なお、前記ファン１１の上流側を温風あるいはエアコンからの冷気を吸入できるように接続しておけば、吹出口１０からは、温風あるいは冷風を吹き出させることができるものとなる。特に、温風を吹出口１０から吹き出させるように構成した場合には、更衣室内の除湿や防カビ効果が得られ、更に衣類の乾燥も可能となる。
なお、吹出口１０，１０は、主鏡７と隣接鏡８，９との間の隙間に存在するため、目立たないものとなり、ミラーキャビネット部５がすっきりとした形状をなし、隣接鏡８，９の角度を変えて使用する際にも風が鏡８，９で邪魔されることがない。
【００１４】
なお、本例では、洗面化粧台のミラーキャビネット部５を例示しているが、洗面化粧台ではなく、単体のミラーキャビネットにおいても、同様に鏡の間に吹出口１０を設けた構造として、すっきりとしたミラーキャビネットを構成することができるものである。
【００１５】
次に、図３は、吹出口１０の構造の変更例を示す水平面内で切断した平面拡大構成図である。
図３では、吹出口１０の構成部材を変更したものであり、例えば収納ボックス６の収納空間Ｓ１と収納空間Ｓ２との間の隙間ａを１０ｍｍに設定して、この隙間内に固定筒体１５とその内側に回動筒体１６を縦方向に立設させたもので、下端側は前記ファン１１に連通されており、ファン１１からの風が回動筒体１６内の風路Ｒ内に吹き出されてくるように構成したものである。
【００１６】
回動筒体１６及び固定筒体１５は、それぞれ光を通す透光材（例えば、アクリル、ポリカーボネート等）で形成されて、回動筒体１６は、固定された固定筒体１５の内周側に水平面内で回動可能に設けられ、固定筒体１５の前面には縦方向に複数の吹出口１０が開口形成されており、回動筒体１６にも、吹出口１０と整合する縦方向位置に吹出口１６ａが複数形成されている。この回動筒体１６の吹出口１６ａは、吹出口１０よりも幅が小径の吹出口となっている。
また、回動筒体１６の内周には、反射材１７が貼設されており、その前側の風路Ｒ内に縦方向にランプ１８（例えば、冷陰極型蛍光管や外部電極型蛍光管等のフェイスライトランプ）が設けられたものとなっている。
また、吹出口１０の前面の主鏡７と隣接鏡８間には、複数枚の風向きフィン１４が設けられており、この風向きフィン１４は手で傾斜角度を変えて風向きを変更できるように構成されている。なお、この風向きフィン１４も透光材で形成されている。
【００１７】
この図３のような構造では、図示しないツマミ等を手で回して回動筒体１６を回転させて、吹出口１６ａを吹出口１０とは整合しない位置に回転させることで、吹出口１０を良好に閉じることができ、この吹出口１０を閉じた状態では、洗面器２内で洗面等を行う際に飛散する水滴を良好に遮断して、水滴が風路Ｒ内に浸入しないようにすることができ、良好な防滴構造となる。
【００１８】
また、回動筒体１６を水平面内で回動させ、吹出口１６ａを吹出口１０に整合させて、吹出口１０から風を吹き出させ、顔に風を当てて、肌のほてりを冷やすことができる。
また、使用時に、ランプ１８を点灯させると、反射材１７で反射された光が、透光材からなる回動筒体１６及び固定筒体１５を通り抜けて、前面側に良好に光が照射されることとなり、顔を良好に照らして、細かい化粧を良好に行うことができるものとなる。
なお、吹出口１６ａを吹出口１０に整合させた時にファン１１がＯＮとなり作動するようにして、吹出口１０を閉じた時にはファン１１がＯＦＦとなるように構成しておくことができる。
【００１９】
次に、図４の要部正面断面構成図で、また図５の要部側面断面構成図で示すような吹出口の構造を採用することもできる。
図４及び図５では、収納ボックス６の収納空間Ｓ２の底板６ｃの下方に箱状の下枠６ｄを一体形成させておき、この収納ボックスの下枠６ｄ内にファン１１を設けて風路Ｒを形成させたものであり、下枠６ｄの底面には、吸込口１９と、小径の水抜き孔２０を貫通形成させておく。また、下枠６ｄ内の水抜き孔２０とファン１１間には、断面略三角形状の水返し突起２１を設けておく。
更に、図４及び図５では、縦方向に開口された複数の吹出口１０，１０の前面に、それぞれ軸２２ａを介して上下方向に回動する防滴ルーバー２２，２２を設けたものである。
【００２０】
このような構造では、ファン１１が回転すると吸込口１９から空気を吸い込み、収納ボックスの下枠６ｄ内から風路Ｒに向かって風を吹き出させることができ、ファン１１と連動して各防滴ルーバー２２が開閉するように構成しておけば、ファン１１が回転して吹出口１０から風が吹き出される時には、防滴ルーバー２２は開かれて、良好に吹出口１０からの風を顔に当てることができるものとなり、ファン１１が停止した時には防滴ルーバー２２がそれぞれ吹出口１０の前面を閉ざすように構成しておけば、吹出口１０から風路Ｒ内に水滴が浸入することを良好に防ぐことができるものとなる。
【００２１】
なお、防滴ルーバー２２を手で開閉できるように構成しておき、防滴ルーバー２２を手で開けた時にファン１１がＯＮとなり、防滴ルーバー２２を手で閉じた時にはファン１１がＯＦＦとなるように構成しておくこともできる。
なお、防滴ルーバー２２が設けられているにも関わらず、吹出口１０から風路Ｒ内に水滴が浸入した場合には、浸入した水滴を良好に水抜き孔２０から下方の洗面器２上に落下させて逃がすことができるように構成されており、浸入してきた水がファン１１側へ流れないように、前記水返し突起２１が設けられており、水返し突起２１の傾斜により水を良好に水抜き孔２０側に返して、水抜き孔２０から逃がすことができるものである。
【００２２】
なお、図６に示すように、前記防滴ルーバー２２を、吹出口１０を蓋する方向に自重で閉じるように構成しておくこともできる。
この図６の構造では、収納ボックス６の底板６ｃから上方にいくに従って手前側（吹出口１０側）に向かって傾斜する風量調整間仕切２３を設けている。
ファン１１からの風は、図５の場合は、上方へいくにつれて風圧が低下するため、上方の吹出口１０からの風量は少なくなるが、図６の構造では、風量調整間仕切２３により、上方にいくに従って水平面内における風路Ｒの面積を絞ることができるため、上方の風圧の低下を軽減することができ、複数の吹出口１０からの風量を上下でほぼ均一な吹き出し風量にすることができるものである。
また、この吹出口１０から吹き出される風の風圧により自動的に各防滴ルーバー２２が開かれることとなり、良好に顔に風を当てることができ、ファン１１がＯＦＦされた時には、風圧がなくなるために、自動的に各防滴ルーバー２２が閉じられて吹出口１０が閉ざされ、前面側から水がかかったような場合にも、風路Ｒ内への水滴の浸入を良好に防ぐことができるものとなる。
【００２３】
なお、更に図７の要部正面断面構成図で、また図８の要部水平断面構成図で示すような吹出口の構造を採用することもできるものである。
図７及び図８では、収納ボックスの下枠６ｄ内にファン１１が設けられ、吸込口１９及び水抜き孔２０，水返し突起２１が設けられている点は、図４と同様であるが、吸込口１９にヒーター２４を設けて、このヒーター２４をＯＮすることにより、吹出口１０から温風を吹き出させることができるように構成したものであり、温風を吹き出させて更衣室の除湿，防カビをも行えるものである。
【００２４】
また、図８に示すように、吹出口１０は前方側へ湾曲した湾曲部６ｅにしておき、この湾曲部６ｅの内側に、湾曲状のスライド部材２５を水平面内でスライド移動できるように配置させたものであり、このスライド部材２５にも吹出口１０と整合する吹出口２５ａが形成されている。
このスライド部材２５は、例えば下端に設けた図示しないレバー等を手で操作することによりスライド移動させることができるものであり、手動でスライド部材２５を開閉させることにより、吹出口１０を開閉させることができ、図８のように開いた状態では、吹出口１０に吹出口２５ａが整合して、この状態でファン１１がＯＮとなるように構成しておくことができ、逆に吹出口１０を閉ざした時には、スライド部材２５が閉ざされたことをリミットスイッチ２６で検知して、リミットスイッチがＯＮとなった時にファン１１が停止されるように構成しておくことができる。
【００２５】
このような構成では、手でスライド部材２５を開くことによりファン１１が作動し、スライド部材２５を閉じることでファン１１が停止して、同時に吹出口１０を閉じて防滴状態にして、水滴の風路Ｒ内への浸入を確実に防ぐことができるものとなる。
なお、リミットスイッチ２６は、リードスイッチあるいはホール素子等で構成することができ、スライド部材２５の開閉を良好に検知できるように構成しておくことができるものである。
【００２６】
更に、図９の要部正面断面構成図で、また図１０の要部側面断面構成図で示すものは、更に異なる吹出口の変更例を示すものである。
本例では、吹出口１０の前面に、上下方向にスライド移動できるように防滴ルーバー２８を配設し、更にその前面に風向きルーバー２７を配置したものである。
防滴ルーバー２８には、各吹出口１０と整合する吹出口２８ａ，２８ａが開口形成され、下端側には、手で上下動させるためのレバー２８ｂが設けられており、この防滴ルーバー２８の開閉状態は、上端側に設けたリミットスイッチ２９で検知できるように構成されている。
【００２７】
即ち、防滴ルーバー２８が開かれて吹出口２８ａが吹出口１０と整合した時に、リミットスイッチ２９がＯＮとなり、この状態でファン１１がＯＮされて吹出口１０から風が吹き出されるように構成したものであり、防滴ルーバー２８が閉ざされて吹出口１０が閉じられた状態でファン１１が停止するように構成したものである。
また、風向きを変えることのできる風向きルーバー２７は、その回転軸２７ａが支持部２７ｃに回転可能に支持されており、レバー２７ｂを指で持ち水平方向に回動させて風向きルーバー２７の角度を手で調整できるように構成されている。
【００２８】
次に、図１１の水平面で切断した要部拡大平面構成図で、また図１２のミラーキャビネット５の要部正面構成図で示すものは、風路および吹出口の構造を変更したものであり、
収納ボックス６内の収納空間Ｓ１とＳ２を仕切る仕切部６ｂ，６ｂ間に、縦方向に延びる筒状の風路Ｒを形成させ、この風路Ｒ内にファン１１を配置させ、例えば、風路Ｒの側面に収納空間Ｓ２側へ貫通された吸込口１９を形成させて、収納空間Ｓ２内の空気を吸込口１９から風路Ｒ内に吸い込むことができるように形成したものである。
【００２９】
また、風路Ｒの前面に吹出口１０を開口させ、この吹出口１０は図１２に示すように、縦長のスリット状に形成させておき、この縦長の吹出口１０の奥側の風路Ｒ内にファン１１の羽１１ａを吹出口１０と同様に縦方向に配置させておく。即ち、ファン１１は風路Ｒ内に縦方向に配置されており、吹出口１０の上下寸法とほぼ同等の高さ寸法の羽１１ａを有するものであり、このファン１１の上端には、ファン１１を駆動するためのモーター１１ｂが配置されている。このファン１１用のモーター１１ｂも収納ボックス６内に配置することができる。
このような構造では、収納ボックス６の収納空間Ｓ２内の空気を吸い込んで吹出口１０から吹き出すことができ、収納ボックス６の前後方向の厚みを小さくすることができ、ミラーキャビネットの厚みを薄くできるものとなる。
【００３０】
なお、図１１では、収納空間Ｓ２側に吸込口１９を設けたものを例示しているが、吸込口１９は収納空間Ｓ１側に開口されたものであっても良く、また、吸込口１９は収納ボックス６の下面側に開口されたものであっても良い。
【実施例２】
【００３１】
図１３は、第２実施例の洗面化粧台の斜視構成図であり、図１４は、ミラーキャビネット部５を水平面内で切断した要部拡大平面構成図である。
本例においても、洗面器２の上方に配置されているミラーキャビネット部５は、収納空間を形成する収納ボックス６の前面に、主鏡７と、その左右側に隙間を形成して隣接鏡８，９が配置され、各鏡はそれぞれ軸７ａ，８ａ，９ａを介して前方側へ開閉できるように構成されている。
例えば、主鏡７は、その一側縁側が軸７ａとなっており、他側縁側には縦柱体３０が連結固定されて構成されている。
この主鏡７の他側縁側に固定された縦柱体３０内には、円筒状の固定筒体１５と、その内側に水平面内で回動可能に円筒状の回動筒体１６が設けられており、固定筒体１５の前面には吹出口１０が縦方向に複数開口され、回動筒体１６にも、吹出口１０と整合する縦方向位置に吹出口１６ａが複数開口されている。
【００３２】
このような構造においても、回動筒体１６を手で回動操作させ、吹出口１６ａを吹出口１０と整合させた時に、ファン１１がＯＮされて、吹出口１０から良好に風を前方側へ吹き出させることができるように構成されており、主鏡７を軸７ａを中心として前方側へ回動させ、顔を近づけて化粧等を行う際に、主鏡７と一体で縦柱体３０が化粧する人の顔の近くまで移動されてくるため、顔に極めて近い位置から風を当てることができるものとなり、肌のほてりをより良好に冷やして、化粧のりを良くすることができ、また化粧水を良好に乾かすこともでき、化粧を迅速に且つ快適に行えるものとなる。
なお、本例では、主鏡７の図示右端側に縦柱体３０を連結したものを例示しているが、図示左端側に縦柱体３０を連結して、軸７ａを右端側へ設けた構造であっても良い。
【００３３】
更に図１５の斜視図で、また図１６の要部拡大平面構成図で示すように、左右側の隣接鏡８，９の外縁側に、隣接鏡８，９と一体状にそれぞれ縦柱体３０を設けた構造のミラーキャビネットとすることもでき、各縦柱体３０内には図１６に示すように、固定筒体１５と回動筒体１６が設けられており、回動筒体１６の吹出口１６ａが吹出口１０と整合された時に、ファン１１がＯＮされて吹出口１０から風が吹き出されるものであり、回動筒体１６を回転させて吹出口１０からずれた位置へ吹出口１６ａを回動させて、吹出口１０を閉ざした時にはファン１１がＯＦＦとなり、この状態で吹出口１０が良好に防滴されるものである。
【００３４】
なお、図１７に要部正面図で示すように、縦柱体３０内の風路Ｒにファン１１からの風を送るために、収納ボックス６の収納空間の底側の隣接鏡８，９の裏面に、蛇腹管１２等を介して隣接鏡８，９と一体状に水平面内で回動可能にダクト１３を配管させておき、このダクト１３を縦柱体３０の下端部で連通接続させて、ダクト１３を通し縦柱体３０内の風路Ｒ内にファン１１からの風を供給することができるものである。
【００３５】
このような構造では、主鏡７に対し左右側の隣接鏡８，９をそれぞれ軸８ａ，９ａを中心として回動させると、隣接鏡８，９の移動と一体で吹出口１０が移動されるため、隣接鏡８，９を傾斜させて三面鏡として使用する際に、主鏡７の前に立つ使用者の顔に近い位置に吹出口１０を配置させることができ、顔に近づけて風を吹き付けることができ、肌のほてりを良好に冷やし化粧ののりを良くすることができ、また、化粧水を良好に乾かすことができて化粧を迅速に快適に行うことができるものとなる。
【図面の簡単な説明】
【００３６】
【図１】第１実施例の洗面化粧台の斜視構成図である。
【図２】ミラーキャビネットの水平面内で切断した要部平面拡大構成図である。
【図３】風路及び吹出口の変更例を示す要部平面拡大構成図である。
【図４】更に異なる吹出口の変更例を示す要部正面断面構成図である。
【図５】図４の側面断面構成図である。
【図６】更に異なる変更例の図５に対応させた側面断面構成図である。
【図７】更に異なる変更例の要部正面断面構成図である。
【図８】図７の水平断面の上方から見た平面拡大構成図である。
【図９】更に異なる変更例の要部正面断面構成図である。
【図１０】図９の側面断面構成図である。
【図１１】風路および吹出口の変更例を示すキャビネットを水平面で切断した要部拡大平面構成図である。
【図１２】図１１のキャビネットを正面側から見た要部拡大正面図である。
【図１３】第２実施例の洗面化粧台の斜視構成図である。
【図１４】図１３のミラーキャビネットを水平面内で切断した要部平面拡大構成図である。
【図１５】第２実施例の変更例を示す洗面化粧台の斜視構成図である。
【図１６】図１５の水平面内で切断した要部平面拡大構成図である。
【図１７】縦柱体の風路にファンからの風を送るダクトの配管状態の要部正面拡大構成図である。
【符号の説明】
【００３７】
１  洗面化粧台
２  洗面器
５  ミラーキャビネット部
６  収納ボックス
６ａ  背板
６ｂ  仕切部
６ｄ  収納ボックスの下枠
６ｅ  湾曲部
７  主鏡
８，９  隣接鏡
７ａ，８ａ，９ａ  軸
１０  吹出口
１１  ファン
１１ａ  ファンの羽
１１ｂ  ファン用モーター
１２  蛇腹管
１３  ダクト
１４  風向きフィン
１５  固定筒体
１６  回動筒体
１６ａ  吹出口
１７  反射材
１８  ランプ
１９  吸込口
２０  水抜き孔
２１  水返し突起
２２  防滴ルーバー
２３  風量調整間仕切
２５  スライド部材
２５ａ  吹出口
２６  リミットスイッチ
２７  風向きルーバー
２８  防滴ルーバー
３０  縦柱体
Ｒ  風路
Ｓ１，Ｓ２，Ｓ３  収納空間
【図１】
2008036081.tif 000003
【図２】
2008036081.tif 000004
【図３】
2008036081.tif 000005
【図４】
2008036081.tif 000006
【図５】
2008036081.tif 000007
【図６】
2008036081.tif 000008
【図７】
2008036081.tif 000009
【図８】
2008036081.tif 000010
【図９】
2008036081.tif 000011
【図１０】
2008036081.tif 000012
【図１１】
2008036081.tif 000013
【図１２】
2008036081.tif 000014
【図１３】
2008036081.tif 000015
【図１４】
2008036081.tif 000016
【図１５】
2008036081.tif 000017
【図１６】
2008036081.tif 000018
【図１７】
2008036081.tif 000019